(57)【要約】【課題】釣銭に用いる貨幣や両替した貨幣を出納室から持ってくる手間を無くすとともに、両替機を購入するコストと当該両替機を設置するスペースを削減すること。【解決手段】レジ精算システムは、購入商品の登録を行う商品登録装置１０と、商品登録装置１０と離れた場所に設けられ、当該商品登録装置１０で登録された購入商品の決済金の支払いを購入顧客が行うための代金決済モードと、店舗係員が売上金処理装置２５へ補充する貨幣を出金するための釣銭準備金出金モードとを有する現金処理装置１５と、を備えている。現金処理装置１５は、貨幣が補充される補充先を含む売上金処理装置２５に関する補充情報を、入力する入力手段３７と、補充先である売上金処理装置２５毎の補充金額を管理する管理手段５１と、を有している。【選択図】図３
2010086162.tif 000002
【特許請求の範囲】
【請求項１】
購入商品の登録を行う商品登録装置と、
前記商品登録装置と離れた場所に設けられ、該商品登録装置で登録された購入商品の決済金の支払いを購入顧客が行うための代金決済モードと、店舗係員が売上金処理装置へ補充する貨幣を出金するための釣銭準備金出金モードとを有する現金処理装置と、を備え、
前記現金処理装置は、
貨幣が補充される補充先を含む前記売上金処理装置に関する補充情報を、入力する入力手段と、
補充先である売上金処理装置毎の補充金額を管理する管理手段と、
を有することを特徴とするレジ精算システム。
【請求項２】
前記現金処理装置は、
貨幣が補充された前記売上金処理装置から、補充された金額に関する補充情報を受信する受信手段と、
前記受信手段で受信した補充情報と、前記管理手段で管理されている該補充情報を送信した売上金処理装置に関する補充金額とが合致しているかを確認する確認手段と、
を有することを特徴とする請求項１に記載のレジ精算システム。
【請求項３】
前記現金処理装置は、
売上金処理装置から該売上金処理装置を識別する売上金処理装置識別情報と、該売上金処理装置に補充すべき貨幣の金種と枚数に関する補充要求情報とを受信する受信手段と、
前記入力手段で入力された補充先と、前記受信手段で受信した売上金処理装置識別情報とから、前記補充要求情報に対応する貨幣の金種と枚数を出金させる出金指示部と、
を有することを特徴とする請求項１に記載のレジ精算システム。
【請求項４】
前記現金処理装置は、購入顧客が所持する会員カードおよび店舗係員が所持する係員カードを読み取り可能なカード読取部を有し、該カード読取部に会員カードが読み取られると代金決済モードになり、該カード読取部に係員カードが読み取られると釣銭準備金出金モードが選択可能となることを特徴とする請求項１に記載のレジ精算システム。
【請求項５】
前記商品登録装置は、購入商品の代金を特定するための代金特定情報または購入顧客が所持する会員カードの会員情報を有する取引特定媒体を発行し、
前記現金処理装置は、前記取引特定媒体を認識すると代金決済モードになり、該取引特定媒体の前記代金特定情報または前記会員情報に基づいて、前記商品登録装置で登録された購入商品の代金決済処理を行うことを特徴とする請求項１に記載のレジ精算システム。
【請求項６】
補充されるべき釣銭準備金に関する釣銭準備情報を有する釣銭準備情報特定媒体を発行する売上金処理装置をさらに備え、
前記現金処理装置は、前記釣銭準備情報特定媒体を認識すると釣銭準備金出金モードになり、該釣銭準備情報特定媒体の前記釣銭準備情報に基づいて、前記売上金処理装置に補充するための釣銭準備金を出金することを特徴とする請求項１に記載のレジ精算システム。
【請求項７】
前記現金処理装置は、通常の作動状態では代金決済モードになっており、ＩＤとパスワードが入力されたり、係員カードが認識されたりするなど所定の要件が満たされると釣銭準備金出金モードに切り替わることを特徴とする請求項１に記載のレジ精算システム。
【請求項８】
前記現金処理装置は、前記売上金処理装置と通信可能となっており、
前記管理手段は、出金された釣銭準備金が、補充先として入力された売上金処理装置に所定の時間内に補充されたかも管理することを特徴とする請求項１に記載のレジ精算システム。
【請求項９】
購入商品の登録を行う商品登録装置と、
前記商品登録装置と離れた場所に設けられ、該商品登録装置で登録された購入商品の決済金の支払いを購入顧客が行うための代金決済モードと、貨幣を両替するための両替モードとを有する現金処理装置と、を備え、
前記現金処理装置は、前記両替モードで貨幣が入金されると、入金された貨幣の総額と同額であり、かつ、入金された貨幣の金種および枚数の組合せと異なる金種および枚数の組合せからなる貨幣を出金することを特徴とするレジ精算システム。
【請求項１０】
前記現金処理装置は、
売上金処理装置を特定する情報を入力する入力手段と、
前記売上金処理装置から該売上金処理装置を識別する売上金処理装置識別情報と、該売上金処理装置で両替されるべき貨幣の金種と枚数に関する両替情報とを受信する受信手段と、
前記入力手段で入力された売上金処理装置を特定する情報と、前記受信手段で受信した売上金処理装置識別情報とから、前記両替情報に対応する貨幣の金種と枚数を出金させる出金指示部と、
を有することを特徴とする請求項９に記載のレジ精算システム。
【請求項１１】
前記現金処理装置は、
出金金種と枚数を入力する入力手段と、
前記入力手段で入力された出金金種と枚数の貨幣を出金させる出金指示部と、
を有することを特徴とする請求項９に記載のレジ精算システム。
【請求項１２】
前記現金処理装置は、購入顧客が所持する会員カードおよび店舗係員が所持する係員カードを読み取り可能なカード読取部を有し、該カード読取部に会員カードが読み取られると代金決済モードになり、該カード読取部に係員カードが読み取られると両替モードが選択可能となることを特徴とする請求項９に記載のレジ精算システム。
【請求項１３】
前記商品登録装置は、購入商品の代金を特定するための代金特定情報または購入顧客が所持する会員カードの会員情報を有する取引特定媒体を発行し、
前記現金処理装置は、前記取引特定媒体を認識すると代金決済モードになり、該取引特定媒体の前記代金特定情報または前記会員情報に基づいて、前記商品登録装置で登録された購入商品の代金決済処理を行うことを特徴とする請求項９に記載のレジ精算システム。
【請求項１４】
両替されるべき貨幣に関する両替情報を有する両替情報特定媒体を発行する売上金処理装置をさらに備え、
前記現金処理装置は、前記両替情報特定媒体を認識すると両替モードになり、該両替情報特定媒体の前記両替情報に基づいて、前記売上金処理装置に入金するための貨幣を両替して出金することを特徴とする請求項９に記載のレジ精算システム。
【請求項１５】
前記現金処理装置は、通常の作動状態では代金決済モードになっており、ＩＤとパスワードが入力されたり、係員カードが認識されたりするなど所定の要件が満たされると両替モードに切り替わることを特徴とする請求項９に記載のレジ精算システム。
【請求項１６】
前記現金処理装置は、前記売上金処理装置と通信可能となっており、
前記管理手段は、出金された貨幣が、両替先として入力された売上金処理装置に所定の時間内に入金されたかも管理することを特徴とする請求項９に記載のレジ精算システム。
【発明の詳細な説明】
【技術分野】
【０００１】
本発明は、購入商品の登録を行う商品登録装置と、商品登録装置で登録された購入商品の決済金の支払いを購入顧客が行う現金処理装置と、を備えたレジ精算システムに関する。
【背景技術】
【０００２】
従来から、レジスタ番号別に各レジスタ（売上金処理装置）の売り上げを入金精算する複数の売上入金精算機と、これら複数の売上入金精算機からの入金精算データを受信して集計する管理ターミナルと、レジスタへ入金する釣銭を準備したり、レジスタで用いる釣銭を両替したりする両替機と、を備えた売上金精算システムが知られている。そして、上述した両替機は、通常は、出納室に配置されている（例えば、特許文献１参照）。
【０００３】
また、入力される商品情報から購入商品の代金を算出し、購入明細票を印字発行すると共に、少なくとも算出された代金及び取引の整理番号をローカルエリアネットワークに送出するレジスタ（売上金処理装置）と、カードを受入れて整理番号を読取るカード処理部と、現金の受入れと釣銭の払出しを行う入出金部と、案内表示を行う表示部と、カード処理部が読取った整理番号に対応する代金をローカルエリアネットワークを介してデータ記憶手段から読み出し、この金額を表示部に表示すると共に入出金部を介する代金の受払を制御する制御部と、を有する代金支払機と、を備えた代金支払システムも知られている（例えば、特許文献２参照）。
【特許文献１】特許登録第３５８２６２２号
【特許文献２】実用新案登録第２６０３８０７号
【発明の開示】
【発明が解決しようとする課題】
【０００４】
上述のように、従来の売上金精算システムでは、出納室に配置された両替機で釣銭を準備したり両替したりする必要があり、釣銭に用いる貨幣や両替した貨幣を出納室から持ってこなければならず、手間がかかってしまっている。また、そもそも両替機を購入するコストがかかってしまっており、両替機を設けるためのスペースも必要となってしまっている。
【０００５】
他方、上述した売上金精算システムを、特許文献２で示されたような代金支払システムの近くに配置することも考えられるが、代金支払システムの他に、売上金精算システムを配置することは、代金決済処理を行うフロアに余分なスペースを確保する必要があり現実的ではない。
【０００６】
本発明は、このような点を考慮してなされたものであり、釣銭に用いる貨幣や両替した貨幣を出納室から持ってくる手間が無くなり、両替機を購入するコストと当該両替機を設置するスペースを削減することができるレジ精算システムを提供することを目的とする。
【課題を解決するための手段】
【０００７】
本発明の第一の態様によるレジ精算システムは、
購入商品の登録を行う商品登録装置と、
前記商品登録装置と離れた場所に設けられ、該商品登録装置で登録された購入商品の決済金の支払いを購入顧客が行うための代金決済モードと、店舗係員が売上金処理装置へ補充する貨幣を出金するための釣銭準備金出金モードとを有する現金処理装置と、を備え、
前記現金処理装置が、
貨幣が補充される補充先を含む前記売上金処理装置に関する補充情報を、入力する入力手段と、
補充先である売上金処理装置毎の補充金額を管理する管理手段と、
を有する。
【０００８】
本発明の第一の態様によるレジ精算システムにおいて、
前記現金処理装置は、
貨幣が補充された前記売上金処理装置から、補充された金額に関する補充情報を受信する受信手段と、
前記受信手段で受信した補充情報と、前記管理手段で管理されている該補充情報を送信した売上金処理装置に関する補充金額とが合致しているかを確認する確認手段と、
を有することが好ましい。
【０００９】
本発明の第一の態様によるレジ精算システムにおいて、
前記現金処理装置は、
売上金処理装置から該売上金処理装置を識別する売上金処理装置識別情報と、該売上金処理装置に補充すべき貨幣の金種と枚数に関する補充要求情報とを受信する受信手段と、
前記入力手段で入力された補充先と、前記受信手段で受信した売上金処理装置識別情報とから、前記補充要求情報に対応する貨幣の金種と枚数を出金させる出金指示部と、
を有することが好ましい。
【００１０】
本発明の第一の態様によるレジ精算システムにおいて、
前記現金処理装置は、購入顧客が所持する会員カードおよび店舗係員が所持する係員カードを読み取り可能なカード読取部を有し、該カード読取部に会員カードが読み取られると代金決済モードになり、該カード読取部に係員カードが読み取られると釣銭準備金出金モードが選択可能となることが好ましい。
【００１１】
本発明の第一の態様によるレジ精算システムにおいて、
前記商品登録装置は、購入商品の代金を特定するための代金特定情報または購入顧客が所持する会員カードの会員情報を有する取引特定媒体を発行し、
前記現金処理装置は、前記取引特定媒体を認識すると代金決済モードになり、該取引特定媒体の前記代金特定情報または前記会員情報に基づいて、前記商品登録装置で登録された購入商品の代金決済処理を行うことが好ましい。
【００１２】
本発明の第一の態様によるレジ精算システムにおいて、
補充されるべき釣銭準備金に関する釣銭準備情報を有する釣銭準備情報特定媒体を発行する売上金処理装置をさらに備え、
前記現金処理装置は、前記釣銭準備情報特定媒体を認識すると釣銭準備金出金モードになり、該釣銭準備情報特定媒体の前記釣銭準備情報に基づいて、前記売上金処理装置に補充するための釣銭準備金を出金することが好ましい。
【００１３】
本発明の第一の態様によるレジ精算システムにおいて、
前記現金処理装置は、通常の作動状態では代金決済モードになっており、ＩＤとパスワードが入力されたり、係員カードが認識されたりするなど所定の要件が満たされると釣銭準備金出金モードに切り替わることが好ましい。
【００１４】
本発明の第一の態様によるレジ精算システムにおいて、
前記現金処理装置は、前記売上金処理装置と通信可能となっており、
前記管理手段は、出金された釣銭準備金が、補充先として入力された売上金処理装置に所定の時間内に補充されたかも管理することが好ましい。
【００１５】
本発明の第二の態様によるレジ精算システムは、
購入商品の登録を行う商品登録装置と、
前記商品登録装置と離れた場所に設けられ、該商品登録装置で登録された購入商品の決済金の支払いを購入顧客が行うための代金決済モードと、貨幣を両替するための両替モードとを有する現金処理装置と、を備え、
前記現金処理装置が、前記両替モードで貨幣が入金されると、入金された貨幣の総額と同額であり、かつ、入金された貨幣の金種および枚数の組合せと異なる金種および枚数の組合せからなる貨幣を出金する。
【００１６】
本発明の第二の態様によるレジ精算システムにおいて、
前記現金処理装置は、
売上金処理装置を特定する情報を入力する入力手段と、
前記売上金処理装置から該売上金処理装置を識別する売上金処理装置識別情報と、該売上金処理装置で両替されるべき貨幣の金種と枚数に関する両替情報とを受信する受信手段と、
前記入力手段で入力された売上金処理装置を特定する情報と、前記受信手段で受信した売上金処理装置識別情報とから、前記両替情報に対応する貨幣の金種と枚数を出金させる出金指示部と、
を有することが好ましい。
【００１７】
本発明の第二の態様によるレジ精算システムにおいて、
前記現金処理装置は、
出金金種と枚数を入力する入力手段と、
前記入力手段で入力された出金金種と枚数の貨幣を出金させる出金指示部と、
を有することが好ましい。
【００１８】
本発明の第二の態様によるレジ精算システムにおいて、
前記現金処理装置は、購入顧客が所持する会員カードおよび店舗係員が所持する係員カードを読み取り可能なカード読取部を有し、該カード読取部に会員カードが読み取られると代金決済モードになり、該カード読取部に係員カードが読み取られると両替モードが選択可能となることが好ましい。
【００１９】
本発明の第二の態様によるレジ精算システムにおいて、
前記商品登録装置は、購入商品の代金を特定するための代金特定情報または購入顧客が所持する会員カードの会員情報を有する取引特定媒体を発行し、
前記現金処理装置は、前記取引特定媒体を認識すると代金決済モードになり、該取引特定媒体の前記代金特定情報または前記会員情報に基づいて、前記商品登録装置で登録された購入商品の代金決済処理を行うことが好ましい。
【００２０】
本発明の第二の態様によるレジ精算システムにおいて、
両替されるべき貨幣に関する両替情報を有する両替情報特定媒体を発行する売上金処理装置をさらに備え、
前記現金処理装置は、前記両替情報特定媒体を認識すると両替モードになり、該両替情報特定媒体の前記両替情報に基づいて、前記売上金処理装置に入金するための貨幣を両替して出金することが好ましい。
【００２１】
本発明の第二の態様によるレジ精算システムにおいて、
前記現金処理装置は、通常の作動状態では代金決済モードになっており、ＩＤとパスワードが入力されたり、係員カードが認識されたりするなど所定の要件が満たされると両替モードに切り替わることが好ましい。
【００２２】
本発明の第二の態様によるレジ精算システムにおいて、
前記現金処理装置は、前記売上金処理装置と通信可能となっており、
前記管理手段は、出金された貨幣が、両替先として入力された売上金処理装置に所定の時間内に入金されたかも管理することが好ましい。
【発明の効果】
【００２３】
本発明によれば、購入顧客が代金決済処理を行う代金決済モードを有する現金処理装置が、店舗係員が売上金処理装置へ補充する貨幣を出金するための釣銭準備金出金モード、または、貨幣を両替するための両替モードを有している。このため、釣銭に用いる貨幣や両替した貨幣を出納室から持ってくる手間が無くすことができ、かつ、両替機を購入するコストと当該両替機を設置するスペースを削減することができる。
【発明を実施するための形態】
【００２４】
第１の実施の形態
以下、本発明に係るレジ精算システムの第１の実施の形態について、図面を参照して説明する。ここで、図１乃至図６は本発明の第１の実施の形態を示す図である。なお、本願において、貨幣とは硬貨と紙幣の両方を意味している。
【００２５】
図１に示すように、レジ精算システムは、購入商品の登録を行う複数（本実施の形態では２つ）の会員用の第一商品登録装置（商品登録装置）１０と、第一商品登録装置１０と離れた場所に設けられ、第一商品登録装置１０で登録された購入商品の代金決済処理を購入顧客自身が行う顧客操作型現金決済装置（現金処理装置）１５と、購入商品の登録を行う複数の一般用（会員以外も利用可能）の第二商品登録装置２０と、第二商品登録装置２０の近傍に設けられ、第二商品登録装置２０で登録された購入商品の代金決済処理を登録オペレータが行う売上金処理装置２５と、を備えている。
【００２６】
このうち、顧客操作型現金決済装置１５は、第一商品登録装置１０で登録された購入商品の決済金の支払いを購入顧客が行うための代金決済モードと、店舗係員が決済完了済みの売上金を売上金処理装置２５から回収して入金するための売上金入金モードと、店舗係員がレジスタ（釣銭機を含む）などの売上金処理装置２５へ補充する貨幣を出金するための釣銭準備金出金モードと、を有している。
【００２７】
また、第一商品登録装置１０は、購入商品の代金を特定するための代金特定情報を会員カードに記憶させるように構成されている。また、顧客操作型現金決済装置１５は、会員カードに記憶された代金特定情報に基づいて、第一商品登録装置１０で登録された購入商品の代金決済処理を行うように構成されている。
【００２８】
また、図２および図３に示すように、顧客操作型現金決済装置１５は、売上金入金モードにおいて、売上金の出所に関する出所情報を入力するテンキー（入力手段）３７と、決済金と売上金とを区別して管理する管理手段５１と、を有している。なお、この管理手段５１は、テンキー３７、後述する紙幣処理ユニット６０および硬貨処理ユニット７０と通信可能となっている。
【００２９】
また、顧客操作型現金決済装置１５の管理手段５１は、釣銭準備金出金モードにおいて、補充先である売上金処理装置２５毎の補充金額を管理するとともに、売上金処理装置２５から受け取った信号に基づいて、出金された釣銭準備金が、補充先として入力された売上金処理装置２５に所定の時間内に補充されたかも管理する。なお、釣銭準備金出金モードでは、テンキー３７によって、例えば貨幣が補充される補充先といった売上金処理装置２５に関する補充情報を入力することができる。
【００３０】
また、図２に示すように、顧客操作型現金決済装置１５は、購入顧客が所持する会員カードおよび店舗係員が所持する係員カードを読み取り可能な磁気カードリーダ３８およびＩＣカードリーダ３６からなるカード読取部を有している。
【００３１】
そして、顧客操作型現金決済装置１５は、磁気カードリーダ３８に会員カードが通されたり、ＩＣカードリーダ３６に会員カードがかざされたりして、会員カードが読み取られると代金決済モードになる。
【００３２】
他方、顧客操作型現金決済装置１５は、磁気カードリーダ３８に係員カードが通されたり、ＩＣカードリーダ３６に係員カードがかざされたりして、係員カードが読み取られると売上金入金モードや釣銭準備金出金モードになる。例えば、顧客操作型現金決済装置１５によって係員カードが読み取られると、売上金入金モードと釣銭準備金出金モードを選択する選択ボタンが画面３１に表示される。そして、店舗係員が適宜選択することによって、売上金入金モードと釣銭準備金出金モードを選択できるようになっている。
【００３３】
また、図１に示す売上金処理装置２５は、売上金の収納保管を行うとともに、売上金の出所情報と売上金に関する売上金特定情報を送信可能となっている。そして、図３に示すように、顧客操作型現金決済装置１５は、売上金処理装置２５から出所情報と売上金特定情報を受信する受信手段５４と、当該売上金特定情報と、管理手段５１で管理されている売上金とが合致しているかを確認する確認手段５２とを有している。
【００３４】
また、売上金処理装置２５は、売上金処理装置２５を識別する売上金処理装置識別情報と、当該売上金処理装置２５に補充すべき貨幣の金種と枚数に関する補充要求情報も送信可能となっている。そして、顧客操作型現金決済装置１５の受信手段５４は、売上金処理装置２５から売上金処理装置識別情報と補充要求情報を受信する。
【００３５】
また、図３に示すように、顧客操作型現金決済装置１５は、テンキー３７で入力された補充先と、受信手段５４で受信した売上金処理装置識別情報とから、補充要求情報に対応する貨幣の金種と枚数を出金させる出金指示部５６を有している。
【００３６】
また、顧客操作型現金決済装置１５の受信手段５４は、貨幣が補充された売上金処理装置２５から、補充された金額に関する補充情報を受信することもできる。また、確認手段５２は、受信手段５４で受信した補充情報と、管理手段５１で管理されている当該補充情報を送信した売上金処理装置２５に関する補充金額とが合致しているかを確認することもできる。
【００３７】
なお、図１では、顧客操作型現金決済装置１５と同じ店舗内にある売上金処理装置２５しか示していないが、これに限られることなく、顧客操作型現金決済装置１５は、顧客操作型現金決済装置１５と異なる店舗にある売上金処理装置について売上金の入金処理を行ってもよい。
【００３８】
また、購入商品の登録を行ってもらう際の顧客の待ち時間を短くするために、第一商品登録装置１０の総数（本実施の形態では２つ）は、顧客操作型現金決済装置１５の総数（本実施の形態では１つ）よりも多くなっていることが好ましい（図１参照）。
【００３９】
また、図４（ａ）（ｂ）に示すように、顧客操作型現金決済装置１５は、紙幣の処理を行う紙幣処理ユニット６０と、硬貨の処理を行う硬貨処理ユニット７０とを有している。なお、図４（ａ）は、紙幣処理ユニット６０の縦断面を正面に対して左側から見た側方断面図であり、図４（ｂ）は、硬貨処理ユニット７０の縦断面を正面に対して右側から見た側方断面図である。
【００４０】
このうち、紙幣処理ユニット６０は、図４（ａ）に示すように、紙幣を受け入れる紙幣受入部６１と、紙幣を搬送する紙幣搬送機構６２と、紙幣搬送機構６２に設けられ、当該紙幣搬送機構６２によって搬送される紙幣を識別する紙幣識別部６５と、紙幣搬送機構６２の端部に設けられ、紙幣を金種別に収納する金種別収納庫６４と、を有している。このうち、紙幣搬送機構６２は、紙幣搬送路６２ａと、紙幣搬送路６２ａ内の紙幣に駆動力を付与する駆動部（図示せず）と、を有している。
【００４１】
また、図４（ａ）に示すように、紙幣搬送機構６２の端部には、紙幣を一時保留する紙幣一時保留部６３が設けられ、紙幣搬送機構６２の別の端部には、出金紙幣を払い出したり、入金紙幣をリジェクトしたりする紙幣払出部６６が設けられ、紙幣搬送機構６２のさらに別の端部には、リジェクトされた出金紙幣が搬送される出金紙幣リジェクト部６７が設けられている。また、紙幣搬送機構６２の前述の端部とは別の端部には、紙幣カセット６９が着脱自在となっている。
【００４２】
また、硬貨処理ユニット７０は、図４（ｂ）に示すように、硬貨を受け入れる硬貨受入部７１と、硬貨を搬送する硬貨搬送機構７２と、硬貨搬送機構７２に設けられ、当該硬貨搬送機構７２によって搬送される硬貨を識別する硬貨識別部７５と、硬貨搬送機構７２の端部に設けられ、硬貨を金種別に収納する金種別収納庫７４と、を備えている。このうち、硬貨搬送機構７２は、硬貨搬送路７２ａと、硬貨搬送路７２ａ内の硬貨に駆動力を付与する駆動部（図示せず）と、を有している。
【００４３】
また、図４（ｂ）に示すように、硬貨搬送機構７２には、硬貨を一時保留する硬貨一時保留部７３が設けられ、硬貨搬送機構７２の端部には、出金硬貨を払い出したり、入金硬貨をリジェクトしたりする硬貨払出部７６が設けられている。また、硬貨搬送機構７２の別の端部には、硬貨カセット７９が着脱自在となっている。なお、一時保留された入金硬貨がリジェクトされる際には、当該硬貨は、金種別収納庫７４の裏側（紙面に対して裏側）を通過することとなる（図４（ｂ）の点線参照）。
【００４４】
また、顧客操作型現金決済装置１５は、クレジットカード、デビットカード、電子マネーなどの非現金によって決済する非現金決済機能も有している。より具体的には、図２において、磁気カードリーダ３８がクレジットカードの磁気情報などを読み取ることができ、ＩＣカードリーダ３６が電子マネーで支払うときなどにＩＣチップの情報を読み取ることができる。なお、テンキー３７はデビットカードで支払うときに暗証番号を入力するために用いられる。
【００４５】
また、図２に示すように、顧客操作型現金決済装置１５は、様々な操作を行うためのタッチパネル機能を有する画面３１と、様々な音声を発する（購入顧客へ操作方法を指示したりする）スピーカ３２も有している。さらに、顧客操作型現金決済装置１５は、決済が完了したことを示す決済完了媒体（レシートや領収書など）を発行するジャーナルプリンタ３３と、印字されたバーコード情報を読み取るためのバーコードリーダ３４も有している。
【００４６】
また、第一商品登録装置１０と顧客操作型現金決済装置１５とは電気的に接続され、通信可能となっている。また、顧客操作型現金決済装置１５は、画面３１で第一商品登録装置１０で登録された購入商品のリスト（購入商品リスト）を購入顧客に対して表示するように構成されている。
【００４７】
なお、図１では、第一商品登録装置１０近傍に売上金処理装置２５を示しているが、当該売上金処理装置２５は設けられていなくてもよい。
【００４８】
次に、このような構成からなる本実施の形態の作用について述べる。
【００４９】
（代金決済処理）
最初に、購入顧客が顧客操作型現金決済装置１５で代金決済するときの態様について説明する。
【００５０】
まず、購入したい商品を選んだ顧客は、登録オペレータによって購入商品の登録を行ってもらうために、第一商品登録装置１０または第二商品登録装置２０にならぶ（図１参照）。
【００５１】
このとき、会員カードを持った会員は、第二商品登録装置２０だけでなく第一商品登録装置１０も利用することができ、第一商品登録装置１０と第二商品登録装置２０とを選択することができる。このため、会員である顧客は、空いている商品登録装置を利用することができ、会員である顧客の利便性を向上させることができる。なお、第一商品登録装置１０を利用する場合には、会員カードに貯められるポイント率を高くして、顧客に第一商品登録装置１０を積極的に利用するように促すようにしてもよい。
【００５２】
次に、第二商品登録装置２０で購入商品の登録をしてもらった購入顧客は、登録オペレータに、売上金処理装置２５を用いて代金決済処理をしてもらう。
【００５３】
他方、第一商品登録装置１０で購入商品の登録をしてもらった購入顧客（会員）は、第一商品登録装置１０と離れた場所に設けられた顧客操作型現金決済装置１５によって、自分自身で代金決済処理を行う。より具体的には、まず、第一商品登録装置１０によって、購入商品の代金を特定するための代金特定情報が会員カードに記憶される。次に、購入顧客が、顧客操作型現金決済装置１５の磁気カードリーダ３８に会員カードを通したり、ＩＣカードリーダ３６に会員カードをかざしたりすることによって、会員カードに記憶された代金特定情報に基づいて、第一商品登録装置１０で登録された購入商品の代金決済処理を行う（図２参照）。なお、購入顧客は、紙幣や硬貨などの現金によって代金決済処理を行ってもよいし、クレジットカード、デビットカード、電子マネーなどの非現金によって代金決済処理を行ってもよい。
【００５４】
また、上述のように磁気カードリーダ３８に会員カードが通されたり、ＩＣカードリーダ３６に会員カードがかざされたりすることによって、会員カードが読み取られると、顧客操作型現金決済装置１５は、第一商品登録装置１０で登録された購入商品の決済金の支払いを購入顧客が行うための代金決済モードになる。
【００５５】
そして、顧客操作型現金決済装置１５での代金決済処理が完了すると、顧客操作型現金決済装置１５は、ジャーナルプリンタ３３で、代金決済が完了したことを示す決済完了媒体（レシートや領収書など）を発行する（図２参照）。
【００５６】
（売上金入金処理）
次に、店舗係員が顧客操作型現金決済装置１５に売上金を入金するときの態様について説明する。
【００５７】
まず、売上金処理装置２５で、当該売上金処理装置２５内に収納保管された貨幣の回収処理が行われる（回収工程）（図５（ａ）参照）。次に、売上金処理装置２５は、売上金の出所情報（売上金処理装置２５の番号など）と売上金に関する売上金特定情報（売上金の総額など）を顧客操作型現金決済装置１５に送信し（売上金特定情報送信工程）（図５（ａ）参照）、顧客操作型現金決済装置１５の受信手段５４が当該情報を受信する（売上金特定情報受信工程）（図３参照）。
【００５８】
次に、店舗係員によって、売上金処理装置２５から回収された貨幣が、顧客操作型現金決済装置１５まで運ばれる（図１参照）。このとき、顧客操作型現金決済装置１５が売上金処理装置２５の近くに配置されているので、手間がかからない。
【００５９】
すなわち、従来であれば、売上金処理装置２５の売上金を出納室に配置された売上入金精算機で入金し精算する必要があり、売上金を出納室まで持って行かなければならず、手間がかかってしまうのであるが、本実施の形態によれば、そのような手間がかからなくなる。
【００６０】
次に、店舗係員が、磁気カードリーダ３８に係員カードに通したり、ＩＣカードリーダ３６に係員カードをかざしたりする（図２参照）。このことによって、係員カードが読み取られ、顧客操作型現金決済装置１５が売上金入金モードに切り替わる（売上金入金モード切替工程）（図５（ｂ）参照）。このとき、例えば、顧客操作型現金決済装置１５によって係員カードが読み取られると、売上金入金モードと釣銭準備金出金モードを選択する選択ボタンが画面３１に表示され、店舗係員が売上金入金モードを選択できるようになっている（図２参照）。
【００６１】
次に、テンキー３７で、売上金の出所に関する出所情報（売上金処理装置２５の番号など）が入力される（出所情報入力工程）（図２および図５（ｂ）参照）。その後、紙幣処理ユニット６０によって紙幣が収納され、硬貨処理ユニット７０によって硬貨が収納される（入金工程）（図４（ａ）（ｂ）および図５（ｂ）参照）。このとき、紙幣処理ユニット６０と硬貨処理ユニット７０で紙幣と硬貨の枚数が集計されて、管理手段５１によって決済金と区別されて管理される。このように決済金と売上金が区別して管理されるので、売上金を正確に把握して管理することができる。
【００６２】
次に、確認手段５２によって、売上金処理装置２５から受信した売上金特定情報（売上金の金種別枚数）と、管理手段５１で管理されている売上金（集計された金種別枚数）とが合致しているかが確認される（売上確認工程）（図３および図５（ｂ）参照）。そして、売上金特定情報と売上金とが合致している場合には合致している旨が画面３１に表示され、他方、売上金特定情報と売上金とが合致していない場合には合致していない旨が画面３１に表示される（図２参照）。このため、店舗係員は、正常に売上金が集計されているかを容易に確認することができる。
【００６３】
また、売上金特定情報と管理手段５１で管理されている売上金とが合致しているかいないかの確認結果は、店舗内の管理コンピュータ（図示せず）に送信される。このため、店舗の管理者は、顧客操作型現金決済装置１５に売上金が漏れなく確実に入金されたかを確認することができる。
【００６４】
ところで、本実施の形態によれば、上述のように代金決済モードを有する顧客操作型現金決済装置１５によって売上金の入金処理を行うことができる。このため、従来のように、顧客操作型現金決済装置１５の他に売上入金精算機を購入する必要が無くなり、コストを削減することができ、かつ、売上入金精算機を設けるためのスペースも削減することができる。
【００６５】
（釣銭準備金出金処理）
次に、店舗係員が顧客操作型現金決済装置１５で釣銭準備金を出金するときの態様について説明する。
【００６６】
まず、売上金処理装置２５内の釣銭準備金の在高が少なくなると、売上金処理装置２５が、売上金処理装置２５を識別する売上金処理装置識別情報と、当該売上金処理装置２５に補充すべき貨幣の金種と枚数に関する補充要求情報を顧客操作型現金決済装置１５に送信し（補充要求情報送信工程）（図６（ａ）参照）、顧客操作型現金決済装置１５の受信手段５４が当該情報を受信する（補充要求情報受信工程）（図３参照）。
【００６７】
次に、店舗係員が、磁気カードリーダ３８に係員カードに通したり、ＩＣカードリーダ３６に係員カードをかざしたりする（図２参照）。このことによって、係員カードが読み取られ、顧客操作型現金決済装置１５を釣銭準備金出金モードにすることができる（釣銭準備金出金モード切替工程）（図６（ｂ）参照）。このとき、例えば、顧客操作型現金決済装置１５によって係員カードが読み取られると、売上金入金モードと釣銭準備金出金モードを選択する選択ボタンが画面３１に表示され、店舗係員が釣銭準備金出金モードを選択できるようになっている（図２参照）。
【００６８】
次に、テンキー３７で、売上金処理装置２５に関する補充情報（例えば、釣銭準備金の補充先）が入力される（補充情報入力工程）（図２および図６（ｂ）参照）。このとき、顧客操作型現金決済装置１５の出金指示部５６によって、テンキー３７で入力された補充先と受信手段５４で受信した売上金処理装置識別情報に基づいて、補充要求情報に対応する貨幣の金種と枚数を出金する指示が出され、紙幣処理ユニット６０および硬貨処理ユニット７０から当該指示に基づいた貨幣が出金される（出金工程）（図４（ａ）（ｂ）および図６（ｂ）参照）。
【００６９】
このように、本実施の形態によれば、テンキー３７で補充先を入力するだけで、補充要求情報に対応した貨幣の金種と枚数を出金することができるので、正確な釣銭準備金を容易に準備することができる。
【００７０】
次に、店舗係員によって、顧客操作型現金決済装置１５から出金された貨幣が、補充先である売上金処理装置２５まで運ばれて入金される（入金工程）（図１および図６（ｃ）参照）。このとき、売上金処理装置２５と顧客操作型現金決済装置１５が近くに配置されているので、釣銭準備金を搬送する手間がかからない。
【００７１】
すなわち、従来であれば、出納室に配置された両替機から釣銭準備金を出金して、当該釣銭準備金を売上金処理装置２５まで持ち運ばなければならず、手間がかかってしまうのであるが、本実施の形態によれば、そのような手間がかからなくなる。
【００７２】
次に、貨幣が補充された売上金処理装置２５が補充された金額に関する補充情報を顧客操作型現金決済装置１５に送信し、当該顧客操作型現金決済装置１５の受信手段５４が受信する（補充情報送信工程）（図３および図６（ｃ）参照）。そして、確認手段５２が、受信手段５４で受信した補充情報と、管理手段５１で管理されている当該補充情報を送信した売上金処理装置２５に関する補充金額とが合致しているかを確認する（補充確認工程）（図３参照）。このため、店舗の管理者などは、顧客操作型現金決済装置１５に釣銭準備金が漏れなく確実に補充されたかを確認することができる。なおこのとき、補充情報と補充するための出金金額とが合致しているかいないかの確認結果は、店舗内の管理コンピュータ（図示せず）に送信されてもよい。
【００７３】
上述のように、本実施の形態によれば、代金決済モードを有する顧客操作型現金決済装置１５によって釣銭準備金を準備することができる。このため、従来のように、顧客操作型現金決済装置１５の他に両替機を購入する必要が無くなり、コストを削減することができ、かつ、両替機を設けるためのスペースも削減することができる。
【００７４】
また、管理手段５１は、売上金処理装置２５から受け取った信号に基づいて、出金された釣銭準備金が、補充先として入力された売上金処理装置２５に所定の時間内に補充されたかも管理する（図３参照）。より具体的には、売上金処理装置２５に貨幣が補充されると、その旨が売上金処理装置２５から顧客操作型現金決済装置１５の受信手段５４へ送信されて、管理手段５１によって釣銭準備金が補充されたことが把握されるのであるが、出金されてから所定の時間内に、対象となっている売上金処理装置２５から貨幣が補充された旨を伝える情報が送信されないと、管理手段５１の指示に従って、画面３１にその旨が表示されたり、管理コンピュータにその旨が送信されたりする。このため、店舗の管理者などは、顧客操作型現金決済装置１５に釣銭準備金が遅滞なく補充されたかを確認することができる。
【００７５】
ところで、上記では、第一商品登録装置１０が購入商品の代金を特定するための代金特定情報を会員カードに記憶させ、顧客操作型現金決済装置１５が、会員カードに記憶された代金特定情報に基づいて、第一商品登録装置１０で登録された購入商品の代金決済処理を行う態様を用いて説明した。しかしながら、これに限られることなく、以下に示すような態様も用いることができる。
【００７６】
例えば、第一商品登録装置１０が会員カードの会員番号（会員カードに関する会員情報）に紐付けられた購入商品の代金を特定するための代金特定情報を顧客操作型現金決済装置１５に送信し、当該顧客操作型現金決済装置１５が磁気カードリーダ３８やＩＣカードリーダ３６で取得される会員カードの会員番号と、第一商品登録装置１０から送信された会員番号に紐付けられた購入商品の代金特定情報とに基づいて、第一商品登録装置１０で登録された購入商品の代金決済処理を行うようにしてもよい（図２参照）。
【００７７】
また、第一商品登録装置１０が購入商品の代金を特定するための代金特定情報がバーコードで印字されたレシート（取引特定媒体）を発行し、顧客操作型現金決済装置１５が、バーコードリーダ３４でレシートのバーコードを読み取って、第一商品登録装置１０で登録された購入商品の代金決済処理を行うようにしてもよい（図２参照）。
【００７８】
さらに、同じようにレシート（取引特定媒体）を用いる態様としては、まず、第一商品登録装置１０が、取引ＩＤ（取引情報）がバーコードで印字されたレシート（取引特定媒体）を発行するとともに、当該取引ＩＤに紐付けられた購入商品の代金を特定するための代金特定情報を顧客操作型現金決済装置１５に送信する。そして、顧客操作型現金決済装置１５が、バーコードリーダ３４で読み取った取引ＩＤと、第一商品登録装置１０から送信された取引ＩＤに紐付けられた購入商品の代金特定情報とに基づいて、第一商品登録装置１０で登録された購入商品の代金決済処理を行うようにしてもよい（図２参照）。
【００７９】
なお、このようにレシート（取引特定媒体）を用いる場合には、顧客操作型現金決済装置１５は、カード読取部に会員カードが読み取られて代金決済モードになる代わりに、バーコードリーダ３４によってレシートに印字されたバーコード情報が認識されて代金決済モードになってもよい（図２参照）。
【００８０】
また、上記のように、カード読取部に会員カードが読み取られて代金決済モードになったり、バーコードリーダ３４によってレシートに印字されたバーコード情報が認識されて代金決済モードになったりする代わりに、通常の作動状態では代金決済モードになっており、ＩＤとパスワードが入力されたり、係員カードが認識されたりするなど所定の要件が満たされると売上金入金モードや釣銭準備金出金モードに切り替わるようになっていてもよい（図２参照）。
【００８１】
ところで、上記では、売上金処理装置２５が、売上金の出所情報（売上金処理装置２５の番号など）と、売上金に関する売上金特定情報（売上金の総額など）を顧客操作型現金決済装置１５に送信する態様を用いて説明したが、これに限られることはない。例えば、売上金処理装置２５が、売上金の回収時に、売上金の出所情報（売上金処理装置２５の番号など）と売上金に関する売上金特定情報（売上金の総額など）を有する売上金特定媒体を発行し、顧客操作型現金決済装置１５が、売上金特定媒体の出所情報と売上金特定情報に基づいて、売上金処理装置２５から回収された売上金の入金処理を行うように構成されていてもよい（図１参照）。なおこのとき、顧客操作型現金決済装置１５は、売上金特定媒体を認識すると売上金入金モードに切り替わることとなる。
【００８２】
また、上記では、売上金処理装置２５が、売上金処理装置識別情報と、当該売上金処理装置２５に補充すべき貨幣の金種と枚数に関する補充要求情報を送信し、顧客操作型現金決済装置１５の出金指示部５６が、テンキー３７で入力された補充先と、受信手段５４で受信した売上金処理装置識別情報とから、補充要求情報に対応する貨幣の金種と枚数を出金させる態様を用いて説明したが、これに限られることはない。例えば、売上金処理装置２５が、補充されるべき釣銭準備金に関する釣銭準備情報を有するレシートなどの釣銭準備情報特定媒体を発行し、顧客操作型現金決済装置１５が、釣銭準備情報特定媒体の釣銭準備情報に基づいて、売上金処理装置２５に補充するための釣銭準備金を出金するように構成されていてもよい（図１参照）。なおこのとき、顧客操作型現金決済装置１５は、釣銭準備情報特定媒体を認識すると釣銭準備金出金モードに切り替わることとなる。
【００８３】
第２の実施の形態
次に、本発明の第２の実施の形態について説明する。第２の実施の形態は、顧客操作型現金決済装置１５が、貨幣を両替するための両替モードをさらに有しており、両替モードで貨幣が入金されると、入金された貨幣の総額と同額であり、かつ、入金された貨幣の金種および枚数の組合せと異なる金種および枚数の組合せからなる貨幣を出金するように構成されているものであり、その他の構成は図１乃至図６に示す第１の実施の形態と略同一である。
【００８４】
まず、店舗係員によって、売上金処理装置２５から貨幣が出金される（出金工程）（図７（ａ）参照）。このとき、売上金処理装置２５が、売上金処理装置２５を識別する売上金処理装置識別情報と、当該売上金処理装置２５で両替されるべき貨幣の金種と枚数に関する両替情報とを送信し（両替要求情報送信工程）（図７（ａ）参照）、顧客操作型現金決済装置１５の受信手段５４が当該情報を受信する（両替要求情報受信工程）（図３参照）。
【００８５】
次に、店舗係員が、磁気カードリーダ３８に係員カードに通したり、ＩＣカードリーダ３６に係員カードをかざしたりする（図２参照）。このことによって、係員カードが読み取られ、顧客操作型現金決済装置１５が両替モードに切り替わる（両替モード切替工程）（図７（ｂ）参照）。このとき、例えば、顧客操作型現金決済装置１５によって係員カードが読み取られると、売上金入金モードと釣銭準備金出金モードと両替モードを選択する選択ボタンが画面３１に表示され、店舗係員が両替モードを選択できるようになっている（図２参照）。
【００８６】
次に、テンキー３７で、例えば両替金の補充先といった売上金処理装置２５に関する補充情報が入力される（両替情報入力工程）（図７（ｂ）参照）。
【００８７】
次に、店舗係員によって、顧客操作型現金決済装置１５内に、売上金処理装置２５から出金された貨幣が入金される（入金工程）（図７（ｂ）参照）。
【００８８】
次に、顧客操作型現金決済装置１５の出金指示部５６によって、テンキー３７で入力された補充先と受信手段５４で受信した売上金処理装置識別情報に基づいて貨幣を出金する指示が出され、当該指示に基づいて両替情報に対応する貨幣の金種と枚数が紙幣処理ユニット６０および硬貨処理ユニット７０から出金される（出金工程）（図３および図７（ｂ）参照）。
【００８９】
このように、本実施の形態によれば、テンキー３７で補充先を入力するだけで、両替情報に対応した貨幣の金種と枚数を出金することができるので、両替に必要な正確な貨幣を容易に準備することができる。
【００９０】
次に、店舗係員によって、顧客操作型現金決済装置１５から出金された貨幣が、補充先である売上金処理装置２５まで運ばれて入金される（入金工程）（図１および図７（ｃ）参照）。このとき、売上金処理装置２５と顧客操作型現金決済装置１５が近くに配置されているので、両替用の貨幣を搬送する手間がかからない。
【００９１】
すなわち、従来であれば、出納室に配置された両替機から両替用の貨幣を出金して、当該貨幣を売上金処理装置２５まで持ち運ばなければならず、手間がかかってしまうのであるが、本実施の形態によれば、そのような手間がかからなくなる。
【００９２】
次に、両替された貨幣が補充された売上金処理装置２５が、補充された貨幣の金種と枚数に関する補充情報を顧客操作型現金決済装置１５に送信し（両替情報送信工程）（図７（ｃ）参照）、当該顧客操作型現金決済装置１５の受信手段５４が受信する（両替情報受信工程）（図３参照）。そして、確認手段５２が、受信手段５４で受信した補充情報と、管理手段５１で管理されている当該補充情報を送信した売上金処理装置２５に関する両替情報とが合致しているかを確認する（両替確認工程）（図３参照）。このため、店舗の管理者などは、顧客操作型現金決済装置１５に両替貨幣が漏れなく確実に補充されたかを確認することができる。なおこのとき、補充情報と両替情報とが合致しているかいないかの確認結果は、店舗内の管理コンピュータ（図示せず）に送信されてもよい。
【００９３】
また、管理手段５１は、出金された貨幣が、両替先として入力された売上金処理装置２５に所定の時間内に補充されたかも管理する（図３参照）。このため、店舗の管理者などは、両替先である顧客操作型現金決済装置１５に、両替金が遅滞なく補充されたかを確認することができる。
【００９４】
上述のように、本実施の形態によれば、代金決済モードを有する顧客操作型現金決済装置１５によって両替処理を行うことができる。このため、従来のように、顧客操作型現金決済装置１５の他に両替機を購入する必要が無くなり、コストを削減することができ、かつ、両替機を設けるためのスペースも削減することができる。
【００９５】
なお、上記では、顧客操作型現金決済装置１５の受信手段５４が、売上金処理装置識別情報と両替情報を受信し、出金指示部５６が、テンキー３７で入力された売上金処理装置２５を特定する情報と売上金処理装置識別情報とから、両替情報に対応する貨幣の金種と枚数を出金させる態様を用いて説明した。
【００９６】
しかしながら、これに限られることなく、例えば、売上金処理装置２５が、両替されるべき貨幣の金種と枚数に関する両替情報を有する両替情報特定媒体を発行し、顧客操作型現金決済装置１５が、両替情報特定媒体の両替情報に基づいて、売上金処理装置２５に入金するための貨幣を両替して出金する態様を用いてもよい。なおこのとき、顧客操作型現金決済装置１５は、両替情報特定媒体を認識すると両替モードに切り替わることとなる。
【００９７】
また、上述のような両替情報を用いることなく、テンキー３７で出金金種と枚数が入力されて、出金指示部５６がテンキー３７で入力された出金金種と枚数の貨幣を出金させるよう指示を出し、当該指示によって紙幣処理ユニット６０および硬貨処理ユニット７０から貨幣が出金されるようにしてもよい（図３参照）。
【００９８】
また、カード読取部に会員カードが読み取られて代金決済モードになったり、バーコードリーダ３４によってレシートに印字されたバーコード情報が認識されて代金決済モードになったりする代わりに、通常の作動状態では代金決済モードになっており、ＩＤとパスワードが入力されたり、係員カードが認識されたりするなど所定の要件が満たされると、売上金入金モードや釣銭準備金出金モードや両替モードに切り替わるようになっていてもよい。
【００９９】
ところで、第１の実施の形態では、顧客操作型現金決済装置１５が、代金決済モード、売上金入金モードおよび釣銭準備金出金モードを有し、第２の実施の形態では、顧客操作型現金決済装置１５が、代金決済モード、売上金入金モード、釣銭準備金出金モードおよび両替モードを有する態様を用いて説明したが、これに限られることはなく、代金決済モードと、売上金入金モード、釣銭準備金出金モードおよび両替モードとを適宜組み合わせることができる。例えば、顧客操作型現金決済装置１５が、代金決済モードと売上金入金モードだけを有したり、代金決済モードと釣銭準備金出金モードだけを有したり、代金決済モードと両替モードだけを有したり、代金決済モード、釣銭準備金出金モードおよび両替モードを有したりしてもよい。
【図面の簡単な説明】
【０１００】
【図１】本発明の第１の実施の形態によるレジ精算システムの構成を示す斜視図。
【図２】本発明の第１の実施の形態によるレジ精算システムの顧客操作型現金決済装置を示した正面図。
【図３】本発明の第１の実施の形態によるレジ精算システムの管理手段、確認手段、受信手段および出金指示部の電気的接続状態を示したブロック図。
【図４】本発明の第１の実施の形態によるレジ精算システムの紙幣処理ユニットおよび硬貨処理ユニットを示す側方断面図。
【図５】本発明の第１の実施の形態によるレジ精算システムで売上金を処理する工程を示すフロー図。
【図６】本発明の第１の実施の形態によるレジ精算システムでの釣銭準備金を処理する工程を示すフロー図。
【図７】本発明の第２の実施の形態によるレジ精算システムでの両替貨幣を処理する工程を示すフロー図。
【符号の説明】
【０１０１】
１０    第一商品登録装置（商品登録装置）
１５    顧客操作型現金決済装置（現金処理装置）
２０    第二商品登録装置
２５    売上金処理装置
３７    テンキー（入力手段）
５１    管理手段
５２    確認手段
５４    受信手段
５６    出金指示部
６０    紙幣処理ユニット
７０    硬貨処理ユニット
【図１】
2010086162.tif 000003
【図２】
2010086162.tif 000004
【図３】
2010086162.tif 000005
【図４】
2010086162.tif 000006
【図５】
2010086162.tif 000007
【図６】
2010086162.tif 000008
【図７】
2010086162.tif 000009